(57)【要約】  【課題】  予め予約された録画処理を確実に実行することが可能な記録装置を提供する。  【解決手段】  ＨＤＤ１６及びＤＶＤレコーダ１７は所定のタイミングで、記録処理の実行が可能であるか否かを示す許可信号を制御部１０へ送出する。制御部１０は、ＨＤＤ１６及びＤＶＤレコーダ１７に対して設定された録画予約情報に従って、例えばＨＤＤ１６による録画処理を実行させる場合、ＨＤＤ１６からの許可信号に基づいて、ＨＤＤ１６による録画処理が可能であるか否かを判断する。可能である場合、録画予約情報が示す放送番組のＨＤＤ１６への録画処理を開始する。一方、可能でない場合、制御部１０は、ＤＶＤレコーダ１７における予約状態及び許可信号に基づいて、ＨＤＤ１６に対して予約されていた録画処理をＤＶＤレコーダ１７により実行することが可能であるか否かを判断し、可能であれば、録画予約情報が示す放送番組のＤＶＤレコーダ１７への録画処理を開始する。【選択図】      図１
2005243166.tif 000002
【特許請求の範囲】
【請求項１】
複数の記録手段と、
録画予約情報を記憶する予約記憶手段と、
該予約記憶手段に記憶させてある録画予約情報に従って、対応する記録手段に記録処理を実行させる制御手段と
を備える記録装置において、
前記制御手段は、
前記録画予約情報に係る記録手段による記録処理の実行が可能であるか否かを判断する判断手段を備え、
該判断手段の判断結果に基づいて、前記記録手段による記録処理を実行させるように構成されていることを特徴とする記録装置。
【請求項２】
複数の記録手段と、
録画予約情報を記憶する予約記憶手段と、
該予約記憶手段に記憶させてある録画予約情報に従って、対応する記録手段に記録処理を実行させる制御手段と
を備える記録装置において、
前記記録手段は、記録処理の実行が可能であるか否かを示す許可信号を前記制御手段へ送出する機能を備え、
前記制御手段は、
前記録画予約情報及び許可信号に基づいて、前記録画予約情報に係る記録手段による記録処理の実行が可能であるか否かを判断する判断手段を備え、
該判断手段により前記記録手段による記録処理の実行が可能であると判断した場合に、前記記録手段に前記録画予約情報が示す記録処理を実行させるように構成されていることを特徴とする記録装置。
【請求項３】
前記判断手段は、
一の記録手段による記録処理の実行が可能でないと判断した場合、他の記録手段における録画予約情報及び許可信号に基づいて、前記他の記録手段による記録処理の実行が可能であるか否かを判断するように構成され、
前記制御手段は、
前記判断手段により前記他の記録手段による記録処理の実行が可能であると判断した場合に、前記他の記録手段に前記録画予約情報が示す記録処理を実行させるように構成されていることを特徴とする請求項２に記載の記録装置。
【請求項４】
前記録画予約情報が示す記録処理を、該録画予約情報に係る記録手段以外の記録手段により実行した場合に、その旨を外部へ通知するように構成されていることを特徴とする請求項３に記載の記録装置。
【発明の詳細な説明】
【技術分野】
【０００１】
本発明は、予め設定された録画予約情報に基づいて、例えばチューナから出力される信号を所定の記録媒体へ記録する記録装置に関するものである。
【背景技術】
【０００２】
テレビジョン放送による放送番組の映像信号を受信して記録媒体に記録する記録装置として、記録媒体に磁気テープを用いるビデオカセットレコーダ（ＶＣＲ）が普及している。また、近年では、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクプレーヤが実用化されている。
【０００３】
図３は従来のＨＤ一体型ＤＶＤレコーダの構成を説明するための説明図である。図３（ａ）は従来のＨＤ一体型ＤＶＤレコーダの要部構成例を示すブロック図であり、従来のＨＤ一体型ＤＶＤレコーダ３は、制御部３０、操作部３１、ＨＤＤ３２，ＤＶＤレコーダ３２等を備えている。制御部３０は操作部３１と接続されており、操作部３１は、ユーザにより各キーが操作された場合、操作されたキーに対応した制御信号を制御部１０へ送出する。これにより、制御部１０は取得した制御信号に従ってＨＤＤ３２及びＤＶＤレコーダ３３の動作を制御する。
【０００４】
ＨＤＤ３２は、例えばＵＨＦテレビジョン放送信号及びＶＨＦテレビジョン放送信号を受信するＵ／Ｖチューナであるチューナ３２ａと、チューナ３２ａが出力する映像信号を記録するＨＤ（Hard Disk）３２ｂとを備えている。ＤＶＤレコーダ３３は、チューナ３２ａと同様のチューナ３３ａと、チューナ３３ａが出力する映像信号を記録する書き込みが可能なＤＶＤ３３ｂとを備えている。なお、チューナ３２ａ，３３ａはそれぞれＨＤＤ３２，ＤＶＤレコーダ３３の外部に設けられた構成とすることもできる。
【０００５】
このような構成のＨＤ一体型ＤＶＤレコーダ３では、制御部３０は、ＨＤＤ３２及びＤＶＤレコーダ３３をそれぞれ独立して制御しているため、選択された放送チャンネルに応じてチューナ３２ａが出力する映像信号をＨＤ３２ｂに記録させると共に、選択された放送チャンネルに応じてチューナ３３ａが出力する映像信号をＤＶＤ３３ｂに記録させることができる。
【０００６】
また、このような記録装置は、視聴者により予め予約設定された録画処理と、それぞれの録画処理を実行すべき録画先の記録媒体とを示す予約情報を記憶しており、各予約情報が示す録画処理における録画開始時刻が経過した場合に、設定された放送チャンネルに応じた映像信号の記録媒体への記録処理を開始する。なお、録画処理は、録画したい放送番組における放送チャンネル、放送開始時刻及び放送終了時刻により特定される。
【０００７】
一方、放送衛星（ＢＳ：Broadcasting Satellite）を利用したＢＳ放送及び通信衛星（ＣＳ：Communication Satellite）を利用したＣＳ放送等が普及しており、視聴者が選択できる放送チャンネル数と共に視聴可能な放送番組数が増大している。これにより、視聴者が視聴したい放送番組が同時刻に複数放送される場合や、視聴者が同時刻に複数の放送番組の録画を行ないたい場合が生じるため、視聴者により予め予約された録画処理において、複数の放送番組における放送時間帯が重複する状況が生じるおそれがある。
【０００８】
そこで、特許文献１で開示されている記録装置は、予め予約された複数の録画処理における放送時間帯が重複した場合に優先させる録画処理を予めユーザにより設定させておくことにより、確実に一方の放送番組の録画を行なうように構成されている。
【特許文献１】特開平１０−２１６０１号公報
【発明の開示】
【発明が解決しようとする課題】
【０００９】
しかし、上述したように放送時間帯が重複した複数の録画処理が設定された場合、記録装置は、重複している時間帯において１つの放送番組しか録画することができず、他の放送番組については、重複していない時間帯のみの録画処理しか実行できない。従って、予め予約した録画処理における放送番組に欠落した時間帯が生じ、ユーザが所望する録画処理を実現することができないという問題がある。
【００１０】
具体的に、図３（ｂ）に示すように、例えばＨＤＤ３２に対して、放送時間帯が１０：００から１２：００までの放送番組の録画処理を第１予約とし、放送時間帯が１１：００から１３：００までの放送番組の録画処理を第２予約として設定された場合を考える。ここで、ＨＤ一体型ＤＶＤレコーダ３において、録画処理の開始時刻が早い第１予約が優先されると設定されている場合、図３（ｃ）に示すように、ＨＤ３２ｂには、第１予約の１０：００から１２：００までの放送番組の全てと、第２予約の放送番組のうちの１２：００から１３：００までの映像とが記録される。また、ＨＤ一体型ＤＶＤレコーダ３において、録画処理の開始時刻が遅い第２予約が優先されると設定されている場合、図３（ｄ）に示すように、ＨＤ３２ｂには、第１予約の放送番組のうちの１０：００から１１：００までの映像と、第２予約の１１：００から１３：００までの放送番組の全てとが記録されることになる。
【００１１】
また、録画処理を実行する各記録媒体は、予め予約された録画時間帯において、例えばＶＣＲ、ＤＶＤの入れ忘れ等の理由により録画処理を行なえない場合があるが、上述した記録装置は、チューナが出力する映像信号を、録画処理の実行を行える状態であるか否かに関わらず、予約設定された記録媒体へ転送する。この場合、チューナから転送された映像信号を取得する記録媒体は、記録処理の実行ができないため録画処理を失敗するという問題がある。
【００１２】
本発明は斯かる事情に鑑みてなされたものであり、例えば、予め予約された録画処理における録画時間帯が重複しており、録画処理を開始する記録手段が、既に別の録画処理の実行中である場合等、開始すべき録画処理を実行できない記録手段による記録処理の実行を禁止することにより予約された録画処理の失敗を防止し、録画処理の実行が可能な記録手段により確実に実行することが可能な記録装置を提供することを目的とする。また、予め予約された録画処理を、予め設定された記録手段以外の他の記録手段により実行した場合に、その旨を外部へ通知することが可能な記録装置を提供することを他の目的とする。
【課題を解決するための手段】
【００１３】
本発明に係る記録装置は、複数の記録手段と、録画予約情報を記憶する予約記憶手段と、該予約記憶手段に記憶させてある録画予約情報に従って、対応する記録手段に記録処理を実行させる制御手段とを備える記録装置において、前記制御手段は、前記録画予約情報に係る記録手段による記録処理の実行が可能であるか否かを判断する判断手段を備え、該判断手段の判断結果に基づいて、前記記録手段による記録処理を実行させるように構成されていることを特徴とする。
【００１４】
本発明による場合は、記録手段を複数備え、予め予約記憶手段に記憶させてある録画予約情報に従って、各記録手段による記録処理を制御手段が実行させる記録装置において、前記録画予約情報に係る記録手段による記録処理の実行が可能であるか否かを判断し、可能であると判断した場合に、前記記録手段による記録処理を実行させることにより、何らかの理由により記録処理を行なえない記録手段による記録処理の実行を禁止することが可能となる。
【００１５】
本発明に係る記録装置は、複数の記録手段と、録画予約情報を記憶する予約記憶手段と、該予約記憶手段に記憶させてある録画予約情報に従って、対応する記録手段に記録処理を実行させる制御手段とを備える記録装置において、前記記録手段は、記録処理の実行が可能であるか否かを示す許可信号を前記制御手段へ送出する機能を備え、前記制御手段は、前記録画予約情報及び許可信号に基づいて、前記録画予約情報に係る記録手段による記録処理の実行が可能であるか否かを判断する判断手段を備え、該判断手段により前記記録手段による記録処理の実行が可能であると判断した場合に、前記記録手段に前記録画予約情報が示す記録処理を実行させるように構成されていることを特徴とする。
【００１６】
本発明による場合は、記録手段を複数備え、予め設定された各記録手段による記録処理の録画予約情報に従って、各記録手段による記録処理を制御手段が実行させる記録装置において、各記録手段は、記録処理の実行が可能であるか否かを示す許可信号を制御手段へ送出する。制御手段は、予め設定された録画予約情報と各記録手段から取得する許可信号とに基づいて、前記録画予約情報に対応する記録手段による記録処理の実行が可能であるか否かを判断し、前記記録処理の実行が可能であると判断した場合に、対応する記録手段による記録処理を実行させることにより、何らかの理由により記録処理を行なえない状況を示す許可信号を各記録手段から取得することができ、使用できない記録手段による記録処理の実行を確実に禁止することが可能となる。
【００１７】
本発明に係る記録装置は、前記判断手段は、一の記録手段による記録処理の実行が可能でないと判断した場合、他の記録手段における録画予約情報及び許可信号に基づいて、前記他の記録手段による記録処理の実行が可能であるか否かを判断するように構成され、前記制御手段は、前記判断手段により前記他の記録手段による記録処理の実行が可能であると判断した場合に、前記他の記録手段に前記録画予約情報が示す記録処理を実行させるように構成されていることを特徴とする。
【００１８】
本発明による場合は、予め設定された録画予約情報が示す一の記録手段による記録処理の実行が可能でないと判断した場合に、他の記録手段に対して設定された録画予約情報及び前記他の記録手段からの許可信号に基づいて、前記他の記録手段による記録処理の実行が可能であるか否かを判断し、前記他の記録手段による記録処理の実行が可能であると判断した場合に、前記他の記録手段により前記録画予約情報が示す記録処理を実行させることにより、予め記録処理の実行を予約されていた記録手段が何らかの理由により記録処理を行なえない場合に、記録処理の実行が可能な他の記録手段によって予約された記録処理を実行させることが可能となる。
【００１９】
本発明に係る記録装置は、前記録画予約情報が示す記録処理を、該録画予約情報に係る記録手段以外の記録手段により実行した場合に、その旨を外部へ通知するように構成されていることを特徴とする。
【００２０】
本発明による場合は、予め設定された録画予約情報が示す記録処理を、該録画予約情報が示す記録手段でない他の記録手段により実行した場合に、その旨を外部へ通知することにより、ユーザに、予約された記録処理の内容変更を通知することが可能となる。
【発明の効果】
【００２１】
本発明によれば、記録手段が何らかの理由により記録処理を行なえない場合に、この記録手段による記録処理の実行を禁止することにより、記録処理を行なえない記録手段によって予め予約された放送番組の録画処理の失敗を確実に回避することができる。また、記録処理の実行が可能な記録手段により予約された記録処理を実行することにより、予約設定された放送番組の録画処理を確実に実行することができる。
【００２２】
本発明によれば、何らかの理由により記録処理を行なえない記録手段から、その旨を示す許可信号を取得することにより、各記録手段における記録処理の実行可能状況を確実に把握することができ、使用できない記録手段による記録処理の実行を確実に禁止することができる。これにより、記録処理を行なえない記録手段による記録処理の実行を禁止して、予め予約された放送番組の録画処理の失敗を確実に回避することができる。従って、記録処理の実行が可能な記録手段により予約された記録処理を実行することにより、予約設定された放送番組の録画処理を確実に実行することができる。
【００２３】
本発明によれば、予め記録処理の予約がされている一の記録手段が前記記録処理を実行できない場合に、予約された記録処理の実行が可能な他の記録手段によって当該記録処理を実行することにより、予約された録画処理を、他の記録手段において確実に実行することができる。従って、例えば、放送時間帯が重複する複数の録画処理が設定された場合には、それぞれの録画処理を別の記録手段に実行させることができる。また、他の記録手段においても予約された記録処理を実行することができない場合には、前記他の記録手段による前記記録処理を行なわないことにより、各記録手段に対して予約された他の録画処理の実行を妨げない。
【００２４】
本発明によれば、予め設定された録画予約情報が示す記録処理を、該録画予約情報が示す記録手段以外の他の記録手段により実行した場合に、予約された記録処理の内容変更をユーザに通知することにより、ユーザは、予約した録画処理を記録した記録媒体を把握することができ、録画内容を容易に再生することができる。
【発明を実施するための最良の形態】
【００２５】
以下に、本発明をその実施の形態を示す図面に基づいて詳述する。図１は本発明に係る記録装置としてのＨＤ一体型ＤＶＤレコーダの構成例を示すブロック図である。図中１は本発明に係る記録装置としてのＨＤ一体型ＤＶＤレコーダを示しており、ＨＤ一体型ＤＶＤレコーダ１は、制御部１０、ＲＯＭ１１、ＲＡＭ１２、第１チューナ１４、第２チューナ１５、ＨＤＤ（記録手段）１６、ＤＶＤレコーダ（記録手段）１７等を備えており、夫々はバス１８を介して相互に接続されている。
【００２６】
制御部１０は、タイマ（図示せず）を有するＣＰＵ（Central Processing Unit ）又はＭＰＵ（Micro Processor Unit）等により構成されており、バス１８を介して接続される上述したようなハードウェア各部を制御すると共に、ＲＯＭ１１に予め格納されている制御プログラムを適宜ＲＡＭ１２に読み出して実行する。ＲＯＭ１１は、ＨＤ一体型ＤＶＤレコーダ１を本発明に係る記録装置として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００２７】
第１チューナ１４及び第２チューナ１５は、例えばＵＨＦテレビジョン放送信号及びＶＨＦテレビジョン放送信号、ＢＳ放送信号又はＣＳ放送信号等の受信用チューナであり、それぞれ選択された放送チャンネルに応じた映像信号を、それぞれ接続されたＨＤＤ１６又はＤＶＤレコーダ１７へ入力する。ＨＤＤ１６は、第１チューナ１４から転送される映像信号を内蔵するＨＤに記録する。ＤＶＤレコーダ１７は、第２チューナ１５から転送される映像信号を所定の位置に装着されたＤＶＤ−ＲＷ又はＤＶＤ−Ｒに記録する。
【００２８】
制御部１０は操作部１３と接続されている。操作部１３は、ＨＤ一体型ＤＶＤレコーダ１を操作するために必要な各種のキーを備えており、ユーザにより各キーが操作された場合、操作されたキーに対応した制御信号を制御部１０へ送出し、制御部１０は取得した制御信号に対応した処理を実行する。
【００２９】
上述した構成のＨＤ一体型ＤＶＤレコーダ１では、ユーザが選択した放送チャンネルに応じて第１チューナ１４が出力する映像信号をＨＤＤ１６に記録する記録処理と、第２チューナ１５が出力する異なる放送チャンネルの映像信号をＤＶＤレコーダ１７に記録する記録処理とを同時刻に行なうことができる。
【００３０】
また、ＨＤ一体型ＤＶＤレコーダ１は、ユーザが操作部１３の所定のキーを操作することによりＨＤＤ１６及びＤＶＤレコーダ１７毎に記録処理（録画処理）の予約を受け付けており、制御部１０は、ユーザにより設定された録画予約情報をＲＡＭ（予約記憶手段）１２に記憶させる。録画予約情報は、予約設定された録画処理と、それぞれの録画処理を実行すべき録画先の記録媒体（ＨＤＤ１６又はＤＶＤレコーダ１７）とを含んでおり、録画処理は放送番組の放送チャンネル、放送開始時刻及び放送終了時刻等により特定される。なお、設定された録画予約情報をユーザに確認させるべく、ＨＤ一体型ＤＶＤレコーダ１に接続されたテレビジョン装置（図示せず）に録画予約情報を示した予約確認画面を表示させることもできる。
【００３１】
制御部１０は、ＲＡＭ１２に記憶させてある各録画予約情報が示す放送開始時刻と、自身のタイマが示す現在時刻とに基づき、予約された録画処理の開始時刻が経過したか否かを判断しており、録画処理の開始時刻の経過に従って、予め設定された記録媒体への録画処理を開始する。また、制御部１０は、ＲＡＭ１２に記憶させてある各録画予約情報が示す放送終了時刻と、自身のタイマが示す現在時刻とに基づき、予約された録画処理の終了時刻が経過したか否かを判断しており、録画処理の終了時刻の経過に従って、各記録媒体への録画処理を終了する。これにより制御部１０は、ＲＡＭ１２に設定された録画予約情報に基づいて、ＨＤＤ１６及びＤＶＤレコーダ１７による録画処理を実行させる制御手段として動作する。
【００３２】
ＨＤＤ１６及びＤＶＤレコーダ１７はそれぞれ所定のタイミングで、記録処理の実行が可能であるか否かを示す許可信号をバス１８を介して制御部１０へ送出する。制御部１０は、上述したように録画処理における放送開始時刻が経過することにより、例えばＨＤＤ１６による録画処理の実行を開始させる場合に、ＨＤＤ１６から取得する許可信号に基づいて、ＨＤＤ１６による記録処理の実行が可能であるか否かを判断する判断手段として動作する。そこで、ＨＤＤ１６による記録処理の実行が可能であれば、録画予約情報通りにＨＤＤ１６への録画処理を開始する。
【００３３】
また、制御部１０は、ＨＤＤ１６からの許可信号に基づいてＨＤＤ１６による記録処理の実行が可能でないと判断した場合、ＨＤＤ１６以外の記録媒体、ここではＤＶＤレコーダ１７における予約状態をＲＡＭ１２に記憶させてある録画予約情報により確認し、またＤＶＤレコーダ１７からの許可信号に基づいて、ＨＤＤ１６により実行すべく予約されていた録画処理をＤＶＤレコーダ１７により実行することが可能であるか否かを判断する。そこで、ＤＶＤレコーダ１７による記録処理の実行が可能であれば、録画予約情報として設定されていた録画先の記録媒体をＨＤＤ１６からＤＶＤレコーダ１７に変更し、変更した録画予約情報に従ってＤＶＤレコーダ１７による録画処理を開始する。
【００３４】
なお、ＤＶＤレコーダ１７によっても、放送開始時刻が経過することにより開始すべき録画処理の実行ができない場合には、制御部１０は、ＨＤＤ１６又はＤＶＤレコーダ１７のいずれかにおいて記録処理の実行が可能になった時点で、録画予約情報が示す録画処理の実行を開始する。制御部１０は、ＤＶＤレコーダ１７に対して予約された録画処理の放送開始時刻が経過した場合も同様の動作を行なう。
【００３５】
制御部１０は、上述したように、予め設定された録画予約情報における録画先を変更した場合に、例えば、その旨を示す通知画面をテレビジョン装置（図示せず）に表示させることによりユーザに通知する。また、録画予約情報における録画先を変更した都度、通知画面を表示させる必要はなく、ユーザによる操作部１３の操作によりテレビジョン装置に表示される録画履歴画面において、各録画予約情報に基づき実行された録画処理に対して、録画先を変更した旨を示す所定のマークを付するようにしてもよい。
【００３６】
ここで、ＨＤＤ１６は、記録処理の実行が可能であるか否かを示す許可信号として例えば、録画処理中であることを示す信号、故障中であることを示す信号等を制御部１０へ送出する。また、ＤＶＤレコーダ１７は、記録処理の実行が可能であるか否かを示す許可信号として例えば、録画処理中であることを示す信号、再生処理中であることを示す信号、ＤＶＤ−ＲＷ又はＤＶＤ−Ｒ等のディスクが未装着であることを示す信号、フォーマット中であることを示す信号、録画防止対策メディアであることを示す信号等を制御部１０へ送出する。制御部１０は、ＨＤＤ１６及びＤＶＤレコーダ１７から取得した各信号に応じて記録処理の実行が可能であるか否かを判断する。
【００３７】
なお、上述したように、ＨＤＤ１６及びＤＶＤレコーダ１７が各動作状態であることを示す信号を制御部１０へ送出する構成としてもよく、ＨＤＤ１６及びＤＶＤレコーダ１７がそれぞれ、自身の動作状態から記録処理の実行が可能であるか否かを判断し、記録処理の実行が可能であるか否かを示す許可信号を制御部１０へ送出し、制御部１０は、このような許可信号を取得することによりＨＤＤ１６及びＤＶＤレコーダ１７による記録処理の実行が可能であるか否かを判断する構成としてもよい。
【００３８】
また、ＨＤＤ１６及びＤＶＤレコーダ１７がそれぞれ記録領域の残容量を把握しており、記録領域の残容量を制御部１０へ通知し、制御部１０が、ＨＤＤ１６及びＤＶＤレコーダ１７から通知された記録領域の残容量と、録画予約情報が示す録画処理における録画時間とに基づいて、ＨＤＤ１６及びＤＶＤレコーダ１７のそれぞれによる録画処理が可能であるか否かを判断する構成とすることもできる。
【００３９】
以下に、上述した構成のＨＤ一体型ＤＶＤレコーダ１において、テレビジョン放送による映像信号のＨＤＤ１６及びＤＶＤレコーダ１７による記録処理について説明する。なお、ＨＤ一体型ＤＶＤレコーダ１は、ユーザによる操作部１３の操作により予め設定された録画処理の録画予約情報を所定のタイミングで参照し、各録画予約情報が示す録画処理の放送開始時刻が経過することによりＨＤＤ１６又はＤＶＤレコーダ１７による記録処理を開始させる。
【００４０】
図２は本発明に係るＨＤ一体型ＤＶＤレコーダ１におけるＨＤＤ１６又はＤＶＤレコーダ１７による映像信号の記録処理手順を示すフローチャートである。ＨＤ一体型ＤＶＤレコーダ１において、制御部１０は、ＲＡＭ１２に記憶させてある各録画予約情報が示す録画処理における放送開始時刻が経過し、録画処理を実行させる場合、開始すべき録画処理がＨＤＤ１６による録画処理であるか否かを判断する（Ｓ１）。
【００４１】
制御部１０は、ＨＤＤ１６による記録処理を開始すると判断した場合（Ｓ１：ＹＥＳ）、ＨＤＤ１６から取得する許可信号に基づきＨＤＤ１６による録画処理の実行が可能であるか否かを判断し（Ｓ２）、ＨＤＤ１６による録画処理の実行が可能であると判断した場合（Ｓ２：ＹＥＳ）、予めＲＡＭ１２に設定された録画予約情報通りにＨＤＤ１６による録画処理を開始する（Ｓ３）。
【００４２】
ステップＳ２でＨＤＤ１６による録画処理の実行が可能でないと判断した場合（Ｓ２：ＮＯ）、制御部１０は、ＲＡＭ１２に記憶させてある録画予約情報を参照し、ＤＶＤレコーダ１７に対して予約されている録画処理の放送時間帯と、ＤＶＤレコーダ１７から取得する許可信号とに基づき、ＨＤＤ１６により実行すべく予約されていた録画処理をＤＶＤレコーダ１７により実行が可能であるか否かを判断する（Ｓ４）。制御部１０は、ＤＶＤレコーダ１７による録画処理の実行が可能であると判断した場合（Ｓ４：ＹＥＳ）、予めＲＡＭ１２に設定された録画予約情報が示す録画処理をＤＶＤレコーダ１７により開始させる（Ｓ５）。
【００４３】
なお、ＤＶＤレコーダ１７による録画処理の実行も可能でないと判断した場合（Ｓ４：ＮＯ）、制御部１０はステップＳ２の処理に戻り、ＨＤＤ１６又はＤＶＤレコーダ１７による録画処理の実行が可能となるまで待機しており、ＨＤＤ１６又はＤＶＤレコーダ１７による録画処理の実行が可能となった時点で、予めＲＡＭ１２に設定された録画予約情報が示す録画処理を、録画処理の実行が可能となったＨＤＤ１６又はＤＶＤレコーダ１７により開始させる。
【００４４】
一方、ステップＳ１で、開始すべき録画処理がＨＤＤ１６による録画処理でないと判断する場合、即ち、ＤＶＤレコーダ１７による録画処理を開始すると判断した場合（Ｓ１：ＮＯ）、制御部１０は、ＤＶＤレコーダ１７から取得する許可信号に基づきＤＶＤレコーダ１７による録画処理の実行が可能であるか否かを判断する（Ｓ６）。制御部１０は、ＤＶＤレコーダ１７による録画処理の実行が可能であると判断した場合（Ｓ６：ＹＥＳ）、予めＲＡＭ１２に設定された録画予約情報通りにＤＶＤレコーダ１７による録画処理を開始する（Ｓ７）。
【００４５】
ステップＳ６でＤＶＤレコーダ１７による録画処理の実行が可能でないと判断した場合（Ｓ６：ＮＯ）、制御部１０は、ＲＡＭ１２に記憶させてある録画予約情報を参照し、ＨＤＤ１６に対して予約されている録画処理の放送時間帯と、ＨＤＤ１６から取得する許可信号とに基づき、ＤＶＤレコーダ１７により実行すべく予約されていた録画処理をＨＤＤ１６により実行が可能であるか否かを判断する（Ｓ８）。制御部１０は、ＨＤＤ１６による録画処理の実行が可能であると判断した場合（Ｓ８：ＹＥＳ）、予めＲＡＭ１２に設定された録画予約情報が示す録画処理をＨＤＤ１６により開始させる（Ｓ９）。
【００４６】
なお、ＨＤＤ１６による記録処理の実行も可能でないと判断した場合（Ｓ８：ＮＯ）、制御部１０はステップＳ６の処理に戻り、ＤＶＤレコーダ１７又はＨＤＤ１６による記録処理の実行が可能となるまで待機しており、ＤＶＤレコーダ１７又はＨＤＤ１６による記録処理の実行が可能となった時点で、予めＲＡＭ１２に設定された録画予約情報が示す録画処理を、録画処理の実行が可能となったＤＶＤレコーダ１７又はＨＤＤ１６により開始させる。
【００４７】
制御部１０は、録画予約情報を参照して実行中の録画処理における放送終了時刻が経過したか否かを判断しており（Ｓ１０）、放送終了時刻が経過していないと判断した場合（Ｓ１０：ＮＯ）、放送終了時刻が経過するまで録画処理を続行し、放送終了時刻が経過したと判断した場合（Ｓ１０：ＹＥＳ）、実行中の録画処理を終了する（Ｓ１１）。
【００４８】
上述したように、制御部１０が、予約された録画処理をＨＤＤ１６又はＤＶＤレコーダ１７に実行させる際に、対応するＨＤＤ１６（又はＤＶＤレコーダ１７）が録画処理を実行できる状態にあるか否かを判断し、ＨＤＤ１６（又はＤＶＤレコーダ１７）が記録処理を実行できない場合に、他方のＤＶＤレコーダ１７（又はＨＤＤ１６）に録画処理を実行させる。これにより、録画処理を行なえないＨＤＤ１６（又はＤＶＤレコーダ１７）によって予約された放送番組の録画処理の失敗を確実に回避することができる。また、録画処理の実行が可能なＤＶＤレコーダ１７（又はＨＤＤ１６）により予約された録画処理を確実に実行することができる。
【００４９】
また、他方のＤＶＤレコーダ１７（又はＨＤＤ１６）によっても録画処理を実行できない場合には、ＨＤＤ１６及びＤＶＤレコーダ１７のいずれか一方が録画処理を実行できる状態となった時点で、予約された録画処理を開始することにより、他方のＤＶＤレコーダ１７に対して予約されている録画処理の実行を妨げることがない。
【００５０】
更に、予め設定された予約内容を変更して他の記録媒体に録画した場合に、その旨をユーザに通知することにより、ユーザは、予約した録画処理を実行した記録媒体を把握することができ、録画内容を容易に再生することができる。
【００５１】
上述した各実施の形態では、記録媒体としてＨＤＤ１６及びＤＶＤレコーダ１７を内蔵したＨＤ一体型ＤＶＤレコーダ１について説明したが、ＨＤＤ１６及びＤＶＤレコーダ１７に限られず、例えばＶＣＲを備える構成でもよく、３つ以上の記録媒体を備える構成でもよい。また、ＨＤＤ、ＤＶＤレコーダ及びＶＣＲの３つの記録媒体を備えた記録装置において、機器における初期設定として、例えばＤＶＤレコーダによる録画処理の放送時間帯が重複した場合には、開始時刻が遅い録画処理をＨＤＤに実行させる旨を設定させておくことにより、ＤＶＤレコーダにおける録画処理の重複を回避することができる。
【００５２】
また、上述した実施の形態では、ＨＤＤ１６及びＤＶＤレコーダ１７のそれぞれが、記録処理の実行が可能であるか否かを示す許可信号を制御部１０へ送出し、制御部１０は、取得した許可信号に基づいて、ＨＤＤ１６及びＤＶＤレコーダ１７が記録処理の実行可能な状態であるか否かを判断しているが、制御部１０が、ＨＤＤ１６及びＤＶＤレコーダ１７のそれぞれの動作状態を常時管理しておき、この管理情報に基づいてＨＤＤ１６及びＤＶＤレコーダ１７による記録処理の実行が可能であるか否かを判断する構成とすることもできる。
【図面の簡単な説明】
【００５３】
【図１】本発明に係るＨＤ一体型ＤＶＤレコーダの構成例を示すブロック図である。
【図２】本発明に係るＨＤ一体型ＤＶＤレコーダにおける映像信号の記録処理手順を示すフローチャートである。
【図３】従来のＨＤ一体型ＤＶＤレコーダの構成を説明するための説明図である。
【符号の説明】
【００５４】
１  ＨＤ一体型ＤＶＤレコーダ（記録装置）
１０  制御部（制御手段、判断手段）
１２  ＲＡＭ（予約記憶手段）
１４  第１チューナ
１５  第２チューナ
１６  ＨＤＤ（記録手段）
１７  ＤＶＤレコーダ（記録手段）
【図１】
2005243166.tif 000003
【図２】
2005243166.tif 000004
【図３】
2005243166.tif 000005